(57)【要約】【課題】平面的な映像を立体的な映像として観察者に認識させる簡易な構造の映像立体的認識装置を提供する。【解決手段】映像立体的認識装置１００は、平面的な映像を立体的な映像と観察者に認識させるものであり、ミラー１０および２０と、ミラー固定部３０とを備える。ミラー１０および２０は、それぞれ鏡面１１および２１を備えている。ミラー固定部３０は、ミラー１０および２０を固定するものであり、基台３１と、基台３１に立設された支持部材３２および３３とを備えている。ミラー１０および２０は、ミラー１０および２０の側面をそれぞれ支持部材３２および３３に取り付けることにより、支持部材３２と支持部材３３とで挟み込まれた位置に固定される。そして、ミラー１０の鏡面１１は紙面奥に向かって斜め下方を向いており、ミラー２０の鏡面２１は紙面表に向かって斜め上方を向いている。【選択図】      図１
2010008589.tif 000002
【特許請求の範囲】
【請求項１】
映像を映し出す映像出力部に映る平面的な映像を所定距離離れた位置にいる観察者に立体的な映像として認識させる映像立体的認識装置であって、
約６．５センチメートル以上、前記観察者の右眼と前記映像出力部の右端とを結んだ直線である右眼右端線から前記観察者の左眼と前記映像出力部の左端とを結んだ直線である左眼左端線までの長さ以下の横幅を有する第１のミラーと、
前記第１のミラーの横幅の長さ以上の横幅の長さを有する第２のミラーと、
前記第１のミラーおよび第２のミラーを固定するミラー固定部と
を具備し、
前記第２のミラーは、前記第２のミラーにおける鏡面である第２の鏡面が前記平面的な映像に向かって斜め下方を向くように前記ミラー固定部に固定され、
前記第１のミラーは、前記第２の鏡面に映る映像の一部または全部が前記第１のミラーにおける鏡面である第１の鏡面に映る位置に位置し、かつ前記第１の鏡面が斜め上方を向くように前記ミラー固定部に固定されたことを特徴とする映像立体的認識装置。
【請求項２】
前記ミラー固定部は、
基台と、
前記基台に立設された２つの支持部材と
を具備し、
前記第１のミラーおよび第２のミラーは、前記第１のミラーおよび第２のミラーの両側面を前記２つの支持部材に取り付けることにより固定されることを特徴する請求項１記載の映像立体的認識装置。
【請求項３】
前記第１の鏡面が前記平面的な映像に向かって斜め下方を向く角度を変化させる第１の角度変化部をさらに具備することを特徴とする請求項１記載の映像立体的認識装置。
【請求項４】
前記第２の鏡面の斜め上方を向く角度を変化させる第２の角度変化部をさらに具備することを特徴とする請求項１記載の映像立体的認識装置。
【請求項５】
平面的な映像を所定距離離れた位置にいる観察者に立体的な映像として認識させる映像立体的認識装置であって、
映像を映し出す映像出力部と、
約６．５センチメートル以上、前記観察者の右眼と前記映像出力部の右端とを結んだ直線である右眼右端線から前記観察者の左眼と前記映像出力部の左端とを結んだ直線である左眼左端線までの長さ以下の横幅を有する第１のミラーと、
前記第１のミラーの横幅の長さ以上の横幅の長さを有する第２のミラーと、
前記第１のミラーおよび第２のミラーを固定するミラー固定部と
を具備し、
前記第２のミラーは、前記第２のミラーにおける鏡面である第２の鏡面が前記平面的な映像に向かって斜め下方を向くように前記ミラー固定部に固定され、
前記第１のミラーは、前記第２の鏡面に映る映像の一部または全部が前記第１のミラーにおける鏡面である第１の鏡面に映る位置に位置し、かつ前記第１の鏡面が斜め上方を向くように前記ミラー固定部に固定されたことを特徴とする映像立体的認識装置。
【発明の詳細な説明】
【技術分野】
【０００１】
本発明は、平面的な映像を立体的な映像として観察者に認識させる映像立体的認識装置に関し、特に、簡易な構造の映像立体的認識装置に関する。
【背景技術】
【０００２】
従来、立体的な映像を観察者に認識させる方式として、両眼視差による方式があった。そして、この両眼視差に基づいて観察者に立体的な映像を認識させる装置として、スクリーンの背面に、左眼用の映像と右眼用の映像とを縦方向のストライプ状に交互に配するようにプロジェクタで投影し、これを前方の光学部材により左眼用は左眼に、右眼用は右眼により見て偏光眼鏡なしで立体視するようにした立体視覚装置が提案されていた（例えば、特許文献１参照。）。
【０００３】
この立体視覚装置は、上記スクリーンの背面側に上記各映像のストライプのピッチに合わせて隣と直交する偏光方向を持つ偏光部材をストライプ状に配設し、この偏光方向に合わせた偏光を持つ左眼は左眼用の、右眼は右眼用の投影光を上記プロジェクタでスクリーンに投影するように構成されていた。
【特許文献１】特開平０８−１８６８４９号公報（図１）
【発明の開示】
【発明が解決しようとする課題】
【０００４】
しかしながら、上記の立体視覚装置は、２つのプロジェクタや偏光部材が必要になり、構造として複雑になる。また、上記の立体視覚装置は、２つのプロジェクタや偏光部材が必要になり、装置として高価なものになる。
【０００５】
そこで、本発明は、平面的な映像を立体的な映像として観察者に認識させる簡易な構造の映像立体的認識装置を提供することを目的とする。
【課題を解決するための手段】
【０００６】
本発明は、上記課題を解決するためになされたものであり、本発明の映像立体的認識装置は、映像を映し出す映像出力部に映る平面的な映像を所定距離離れた位置にいる観察者に立体的な映像として認識させる映像立体的認識装置であって、約６．５センチメートル以上、上記観察者の右眼と上記映像出力部の右端とを結んだ直線である右眼右端線から上記観察者の左眼と上記映像出力部の左端とを結んだ直線である左眼左端線までの長さ以下の横幅を有する第１のミラーと、上記第１のミラーの横幅の長さ以上の横幅の長さを有する第２のミラーと、上記第１のミラーおよび第２のミラーを固定するミラー固定部とを具備し、上記第２のミラーは、上記第２のミラーにおける鏡面である第２の鏡面が上記平面的な映像に向かって斜め下方を向くように上記ミラー固定部に固定され、上記第１のミラーは、上記第２の鏡面に映る映像の一部または全部が上記第１のミラーにおける鏡面である第１の鏡面に映る位置に位置し、かつ上記第１の鏡面が斜め上方を向くように上記ミラー固定部に固定されたことを特徴とするものである。これにより、平面的な映像を立体的な映像として観察者に認識させるという作用をもたらす。
【０００７】
また、本発明の映像立体的認識装置おいて、上記ミラー固定部は、基台と、上記基台に立設された２つの支持部材とを具備し、上記第１のミラーおよび第２のミラーは、上記第１のミラーおよび第２のミラーの両側面を上記２つの支持部材に取り付けることにより固定されることを特徴する。これにより、簡易な構造により第１のミラーおよび第２のミラーを固定させるという作用をもたらす。
【０００８】
また、本発明の映像立体的認識装置おいて、上記第１の鏡面が上記平面的な映像に向かって斜め下方を向く角度を変化させる第１の角度変化部をさらに具備することを特徴とする。これにより、第１のミラーの角度を変化させるという作用をもたらす。
【０００９】
また、本発明の映像立体的認識装置おいて、上記第２の鏡面の斜め上方を向く角度を変化させる第２の角度変化部をさらに具備することを特徴とする。これにより、第２のミラーの角度を変化させるという作用をもたらす。
【００１０】
また、本発明の映像立体的認識装置は、平面的な映像を所定距離離れた位置にいる観察者に立体的な映像として認識させる映像立体的認識装置であって、映像を映し出す映像出力部と、約６．５センチメートル以上、上記観察者の右眼と上記映像出力部の右端とを結んだ直線である右眼右端線から上記観察者の左眼と上記映像出力部の左端とを結んだ直線である左眼左端線までの長さ以下の横幅を有する第１のミラーと、上記第１のミラーの横幅の長さ以上の横幅の長さを有する第２のミラーと、上記第１のミラーおよび第２のミラーを固定するミラー固定部とを具備し、上記第２のミラーは、上記第２のミラーにおける鏡面である第２の鏡面が上記平面的な映像に向かって斜め下方を向くように上記ミラー固定部に固定され、上記第１のミラーは、上記第２の鏡面に映る映像の一部または全部が上記第１のミラーにおける鏡面である第１の鏡面に映る位置に位置し、かつ上記第１の鏡面が斜め上方を向くように上記ミラー固定部に固定されたことを特徴とするものである。これにより、平面的な映像を立体的な映像として観察者に認識させるという作用をもたらす。
【発明の効果】
【００１１】
本発明によれば、平面的な映像を立体的な映像として観察者に認識させるという優れた効果を奏し得る。
【発明を実施するための最良の形態】
【００１２】
次に本発明の実施の形態について図面を参照して詳細に説明する。
【００１３】
図１は、本発明の実施の形態における映像立体的認識装置１００を示す図である。本発明の実施の形態における映像立体的認識装置１００は、平面的な映像（静止映像も含む）を立体的な映像と観察者に認識させるものであり、ミラー１０およびミラー２０と、ミラー固定部３０とを備える。
【００１４】
ミラー１０およびミラー２０は、それぞれ鏡面１１と鏡面２１とを備えている。なお、鏡面１１は、ミラー１０の紙面奥側に位置しており、図１においては隠れた状態になっている。本発明の実施の形態においてはミラー１０の横幅は、ミラー２０の横幅より長くすることが想定される。ミラー１０およびミラー２０の横幅の詳細については後述することとする。なお、以下においてミラー１０の横幅は、ミラー２０の横幅よりも長いものとして説明する。
【００１５】
ミラー固定部３０は、ミラー１０およびミラー２０を固定するものであり、例えば基台３１と、基台３１に立設された支持部材３２および支持部材３３とを備えた構成が考えられる。ミラー１０は、ミラー１０の側面１２ａおよび側面１２ｂをそれぞれ支持部材３２および支持部材３３に取り付けることにより、支持部材３２と支持部材３３とで挟み込まれた位置に固定される。
【００１６】
また、ミラー１０は、支持部材３２および支持部材３３と角度α（０°＜α＜９０°）を成す状態で固定される。すなわち、ミラー１０は、紙面奥に向かってミラー１０の鏡面１１が斜め下方向（例えば、矢印Ａ方向）を向くような状態で固定される。また、ミラー１０は、ミラー２０より上方に固定される。
【００１７】
なお、ミラー１０と、支持部材３２および支持部材３３とで成す角度αを変化させる角度変化部４１を映像立体的認識装置１００にさらに設けるようにしてもよい。角度変化部４１は、例えばミラー１０の側面１２ａの中央付近から突出した（図示しない）ネジ部材と、支持部材３２に設けられた（図示しない）穴と、円柱形状の部材に上記ネジ部材に対応するネジ孔を設けたネジ孔部材４１ａとを備えた構成が想定されるが、これに限るものではない。
【００１８】
角度変化部４１を上記のように構成した場合において支持部材３２および支持部材３３とで成す角度αを角度α１（０°＜α１＜９０°）とする場合、以下のように行う。まず、ミラー１０と、支持部材３２および支持部材３３とで成す角度αを角度α１にした状態で、支持部材３２に設けられた上記（図示しない）穴に上記（図示しない）ネジ部材を挿入して突出させる。そして、上記（図示しない）ネジ部材にネジ孔部材４１ａを締着させる。これにより、ミラー１０は、支持部材３２および支持部材３３と角度α１を成す状態で固定される。
【００１９】
ミラー２０は、ミラー１０と同様にミラー２０の側面２２ａおよび側面２２ｂをそれぞれ支持部材３２および支持部材３３に取り付けることにより、支持部材３２と支持部材３３とで挟み込まれた位置に固定される。なお、ミラー２０の鏡面２１は、ミラー１０の鏡面１１に映る像の一部または全部がミラー２０の鏡面２１に映る位置に固定される必要がある。ミラー１０の鏡面１１に映る像の一部または全部がミラー２０の鏡面２１に映る位置として、ミラー１０の真下が想定される。
【００２０】
上述のように、ミラー２０の横幅はミラー１０の横幅よりも短いため、ミラー２０の側面２２ａおよび側面２２ｂにミラー２０の側面２２ａおよび側面２２ｂの中央付近から突出させた固定補助部材２３ａおよび固定補助部材２３ｂを設ける必要がある。この場合、固定補助部材２３ａおよび固定補助部材２３ｂをそれぞれ支持部材３２および支持部材３３に取り付けることにより、ミラー２０は支持部材３２と支持部材３３とで挟み込まれた位置に固定される。
【００２１】
また、ミラー２０は、支持部材３２および支持部材３３と角度β（０°＜β＜９０°）を成す状態で固定される。すなわち、ミラー２０は、紙面表に向かってミラー２０の鏡面２１が斜め上方向（例えば、矢印Ｂ方向）を向くような状態で固定される。
【００２２】
なお、ミラー２０と、支持部材３２および支持部材３３とで成す角度βを変化させる角度変化部４２を映像立体的認識装置１００にさらに設けるようにしてもよい。角度変化部４２は、上記説明した角度変化部４１と同様の構成とすることが想定されるが、これに限るものではない。
【００２３】
角度変化部４２を上記説明した角度変化部４１と同様の構成とする場合、固定補助部材２３ａの先端付近をネジ形状とする。これは、角度変化部４１における（図示しない）ネジ部材に対応するものである。また、支持部材３２に角度変化部４１における（図示しない）穴とは別の（図示しない）穴を設ける。
【００２４】
角度変化部４２を上記のように構成した場合において支持部材３２および支持部材３３とで成す角度βを角度β１（０°＜β１＜９０°）とする場合、ミラー２０と、支持部材３２および支持部材３３とで成す角度βを角度β１にした状態で、支持部材３２に設けられた上記角度変化部４１における（図示しない）穴とは別の（図示しない）穴に上記（図示しない）固定補助部材２３ａのネジ形状部分を挿入して突出させる。
【００２５】
そして、上記（図示しない）固定補助部材２３ａのネジ形状部分に、上記ネジ孔部材４１ａと同様の構造をしたネジ孔部材４２ａを締着させる。これにより、ミラー２０は、支持部材３２および支持部材３３と角度β１を成す状態で固定される。
【００２６】
図２は、本発明の実施の形態における映像立体的認識装置１００の使用例を示す図である。映像立体的認識装置１００は、上記説明したように平面的な映像を立体的な映像と観察者に認識させるものである。平面的な映像を映し出すものとして、例えばテレビが挙げられる。以下、テレビ２００の画面２１０に映る平面的な映像を観察者に立体的な映像と認識させるのに、映像立体的認識装置１００を用いた場合について説明する。
【００２７】
まず、テレビ２００から所定距離離れた位置に映像立体的認識装置１００を置く。この際、ミラー１０の鏡面１１は、図２に示すようにテレビ２００の画面２１０に映る平面的な映像（紙面奥）に向かって斜め下方（例えば、矢印Ａ方向）を向く。ミラー１０の鏡面１１には、テレビ２００全体が映る。
【００２８】
ミラー２０の鏡面２１は、上記説明したようにミラー１０の鏡面１１に映る像の一部または全部がミラー２０の鏡面２１に映る位置（例えば、ミラー１０の真下に相当する位置）に固定されている。このため、ミラー２０の鏡面２１には、ミラー１０の鏡面１１に映る像の一部または全部が映し出される。観察者は、このミラー２０の鏡面２１を見ることにより、テレビ２００の画面２１０に映る平面的な映像を立体的な映像と認識することができる。なお、本願出願人が観察者となって、図２の状態においてミラー２０の鏡面２１を見た結果、ミラー２０の鏡面２１から約６０ｃｍ〜７０ｃｍ離れた位置からミラー２０の鏡面２１に映る像を見る場合が一番映像を立体的に認識することができることが確認されている。
【００２９】
また、ミラー２０の鏡面２１に映し出される像は、観察者にとってテレビ２００の画面２１０のみの像とすることが好ましい。ミラー２０の鏡面２１に映し出される像を観察者にとってテレビ２００の画面２１０のみの像とするには、テレビ２００の画面２１０の大きさ、テレビ２００と映像立体的認識装置１００との距離、ミラー１０の鏡面１１の大きさ、ミラー２０の鏡面２１の大きさ、ミラー１０の鏡面１１が支持部材３２および支持部材３３と成す角度α、ミラー２０の鏡面２１が支持部材３２および支持部材３３と成す角度β、観察者がミラー２０の鏡面２１を見る角度、観察者とミラー２０の鏡面２１との間の距離等の要素を考慮して映像立体的認識装置１００の置く位置を調整することにより実現することができる。
【００３０】
図３は、映像立体的認識装置１００におけるミラー１０およびミラー２０の横幅および位置を示す図である。図３（ａ）は、テレビ２００と観察者３００の間に映像立体的認識装置１００を設置した際の様子を上から見た図である。
【００３１】
観察者３００にとって映像立体的認識装置１００におけるミラー２０に映る像は、テレビ２００の画面２１０のみの映像とする方が好ましい。テレビ２００の真正面から所定距離離れた位置にいる観察者３００にとって、映像立体的認識装置１００におけるミラー２０に映る像をテレビ２００の画面２１０のみの映像とする方法を、右眼３０２と画面２１０の右端とを結んだ線３２０（以下、右眼右端線３２０と呼ぶ。）、および左眼３０１と画面２１０の左端とを結んだ線３１０（以下、左眼左端線３１０と呼ぶ。）を用いて以下説明することとする。
【００３２】
映像立体的認識装置１００は、テレビ２００と観察者３００との間に位置させる必要がある。そして、ミラー１０およびミラー２０は、テレビ２００の画面２１０と平行になるように位置させる。
【００３３】
この際、ミラー２０は、少なくとも左眼左端線３１０と右眼右端線３２０との間に位置する必要がある。すなわち、ミラー２０の横幅Ｌは、ミラー２０付近において左眼左端線３１０から右眼右端線３２０へテレビ２００に平行に引いた線の長さＬ２より短くする必要がある。また、ミラー２０の横幅Ｌは、少なくとも観察者３００の両眼の幅Ｌ１よりも大きくする必要がある。なお、一般的に言って両眼の幅Ｌ１は、通常約６．５センチメートルある。また、ミラー１０は、ミラー２０よりも横幅を長くする必要がある。
【００３４】
以上の条件通りに従うように映像立体的認識装置１００を位置させれば、観察者３００にとって、映像立体的認識装置１００におけるミラー２０に映る像がテレビ２００の画面２１０のみの映像となる。例えば、ミラー２０の横幅ＬをＬ２に近い長さにした場合、図３（ｂ）に示すようにミラー２０に映る像は、画面２１０に映る映像全部となる。また、ミラー２０の横幅Ｌを、例えばＬ２の２／３程度にした場合、図３（ｃ）に示すようにミラー２０に映る像は、画面２１０に映る映像の一部となる。
【００３５】
また、図示していないが、ミラー２０の横幅ＬをＬ２よりも長くすると、ミラー２０に映る像は、テレビ２００の画面２１０の映像のみならずテレビ２００の周りの風景も含まれてしまう。この場合、ミラー２０に映る像における臨場感や立体感が観察者３００にとって弱まってしまい得るため、好ましい状態ではない。また、ミラー２０の横幅ＬをＬ１よりも小さくすると、ミラー２０に映る像は観察者３００にとってとても見づらくなる。
【００３６】
図４は、本発明の実施の形態における映像立体的認識装置１００とテレビ２００と観察者３００との位置関係を示す図である。映像立体的認識装置１００はテレビ２００から所定距離離れた位置に置く。すると、映像立体的認識装置１００におけるミラー１０の鏡面１１には、テレビ２００の画面２１０に映る平面的な像が映し出される。
【００３７】
そして、ミラー１０の鏡面１１に映し出された像は、ミラー２０の鏡面２１に映し出される。ミラー２０の鏡面２１から所定距離離れた位置からこのミラー２０の鏡面２１に映し出された像を観察者３００が見ると、観察者３００は、この映し出された像を立体的な映像と認識する。なお、ミラー２０の鏡面２１と観察者３００との間の所定距離は、上記説明したように約６０ｃｍ〜７０ｃｍが好ましい。
【００３８】
図５は、本発明の実施の形態における映像立体的認識装置１００によりテレビ２００の画面２１０に映る平面的な映像が立体的に見える理由を説明する図である。図５（ａ）は、観察者３００ａまたは観察者３００ｂと、テレビ２００との間に映像立体的認識装置１００を設置した際の様子を示す図である。
【００３９】
図５（ａ）においてテレビ２００から映像立体的認識装置１００におけるミラー１０までの領域を領域Ｘとし、ミラー１０からミラー２０までの領域を領域Ｙとし、ミラー２０から観察者３００ｂまでの領域を領域Ｚとしている。
【００４０】
領域Ｘは、テレビ２００を上から見下ろしたときの様子を示している。また、領域Ｙは、図５（ｂ）に示した映像立体的認識装置１００を矢印Ｃ方向から見たときの様子を示している。また、領域Ｚは、観察者３００ａまたは観察者３００ｂを上から見下ろしたときの様子を示す図である。
【００４１】
領域Ｙにおいてミラー１０からミラー２０への光の進行方向は、観察者３００ａまたは観察者３００ｂの視界と平行なものにはならない。観察者３００ａまたは観察者３００ｂによるテレビ２００までの視界を直線で表すため、便宜上、領域Ｙは図５（ｂ）に示した映像立体的認識装置１００を矢印Ｃ方向から見たときの図としている。
【００４２】
まず、図５（ａ）において観察者３００ａに注目する。観察者３００ａは、ミラー２０の直前に位置しているため、ミラー２０に映る像を見ても立体的に見えない。これは、観察者３００ａの両眼の距離Ｌ１とミラー２０における観察者３００ａの視界の幅Ｄ１がそれほど大きく差がないからである。
【００４３】
次に、観察者３００ｂに注目する。観察者３００ｂは、ミラー２０から所定距離離れた位置に位置しているため、ミラー２０に映る像を見ると立体的に見ることができる。これは、観察者３００ｂの両眼の距離Ｌ１とミラー２０における観察者３００ｂの視界の幅Ｄ２に大きな差があるからである。
【００４４】
ミラー２０における観察者３００ｂの視界の幅Ｄ２は、観察者３００ｂの位置をさらにミラー２０より離すとさらに短くなる。ミラー２０における観察者３００ｂの視界の幅Ｄ２を短くすればするほど、ミラー２０の位置において観察者３００ｂの両眼の位置が近づき、ついには片眼で見ているような状態になる。片眼で映像を見ると立体的に見えることが公知の事実として既にある。これが、映像立体的認識装置１００を用いると、テレビ２００の画面２１０に映る平面的な映像を観察者に対して立体的に認識させることができる理由である。
【００４５】
図６は、本発明の別の実施の形態における映像立体的認識装置４００を示す図である。本発明の別の実施の形態における映像立体的認識装置４００は、映像立体的認識装置１００と同様に平面的な映像を立体的な映像として観察者に認識させるものであり、基本的には映像立体的認識装置１００とテレビのような映像を映し出すものとを一体化したものと言える。
【００４６】
映像立体的認識装置４００は、ミラー４１０およびミラー４２０と、ミラー固定部４３０と、映像出力部４５０と、ケース４６０とを備える。ミラー４１０およびミラー４２０は、映像立体的認識装置１００におけるミラー１０およびミラー２０と同様の機能を有するものであり、ミラー１０およびミラー２０については既に説明済みであるため、説明を省略する。
【００４７】
ミラー固定部４３０は、映像立体的認識装置１００におけるミラー固定部３０と同様の機能を有するものであるが、ミラー固定部３０とその構成に相違点があるため、その点を以下説明する。ミラー固定部４３０は、支持部材４３２と支持部材４３３とを備える。ミラー固定部３０における基台３１に対応するものは、ケース４６０となっている。
【００４８】
支持部材４３２と支持部材４３３は、その両端がケース４６０に取り付けられている。そして、支持部材４３２と支持部材４３３が図６の矢印Ｅ方向にスライドできるようにケース４６０にスライド機構を設けるようにしてもよい。これにより、映像出力部４５０と、支持部材４３２および支持部材４３３（ミラー４１０および４２０）との距離を変化させることができる。
【００４９】
また、ミラー４１０と、ミラー４２０と、ミラー固定部４３０との関係は、映像立体的認識装置１００におけるミラー１０と、ミラー２０と、ミラー固定部３０との関係と同様であり、その点は既に説明済みであるため、説明を省略する。
【００５０】
映像出力部４５０は、映像を映し出すものであり、ケース４６０内に収容されている。映像出力部４５０として、例えばテレビが想定されるが、これに限るものではなく、映像（静止映像も含む）を映し出せるもの全てを含む。また、ケース４６０内における映像出力部４５０の収容位置は、映像出力部４５０に映し出された映像が少なくともミラー４１０の鏡面４１１に映し出される位置である必要がある。
【００５１】
映像出力部４５０に映し出された映像は、ミラー４１０の鏡面４１１に映る。ミラー４１０の鏡面４１１に映る像は、ミラー４２０の鏡面４２１に映る。ケース４６０に設けられた透明のスクリーン部４６１は、ミラー４２０の鏡面４２１の前方に設けられている。観察者３００は、ケース４６０に設けられた透明のスクリーン部４６１を通してミラー４２０の鏡面４２１を見ることができる。観察者３００は、スクリーン部４６１を見れば立体的な像を見ることができる。
【００５２】
このように、本発明の実施の形態における映像立体的認識装置１００によれば、平面的な映像を映し出すものの前に映像立体的認識装置１００を置いて観察者にミラー２０の鏡面２１を見させることにより、観察者に平面的な映像を立体的な映像と認識させることができる。また、本発明の実施の形態における映像立体的認識装置４００によれば、平面的な映像を映し出すものを映像立体的認識装置４００内に収容することにより、観察者に平面的な映像を立体的な映像と認識させることができる。
【００５３】
なお、本発明の実施の形態における映像立体的認識装置１００および映像立体的認識装置４００により観察者に立体的な映像を一定期間見させ続けることにより、映像立体的認識装置１００および映像立体的認識装置４００を用いなくても観察者に平面的な映像を立体的な映像として認識させる感覚を備えさせることができる。
【００５４】
なお、本発明の実施の形態は本発明を具現化するための一例を示したものであり、これに限定されるものではなく本発明の要旨を逸脱しない範囲において種々の変形を施すことができる。
【産業上の利用可能性】
【００５５】
本発明の活用例として、例えばテレビの映像を立体的な映像として観察者に見させる際に本発明を適用することができる。
【図面の簡単な説明】
【００５６】
【図１】本発明の実施の形態における映像立体的認識装置１００を示す図である。
【図２】本発明の実施の形態における映像立体的認識装置１００の使用例を示す図である。
【図３】映像立体的認識装置１００におけるミラー１０およびミラー２０の横幅および位置を示す図である。
【図４】本発明の実施の形態における映像立体的認識装置１００とテレビ２００と観察者３００との位置関係を示す図である。
【図５】本発明の実施の形態における映像立体的認識装置１００によりテレビ２００の画面２１０に映る平面的な映像が立体的に見える理由を説明する図である。
【図６】本発明の別の実施の形態における映像立体的認識装置４００を示す図である。
【符号の説明】
【００５７】
１０、２０、４１０、４２０  ミラー
１１、２１、４１１、４２１  鏡面
２３ａ、２３ｂ  固定補助部材
３０、４３０  ミラー固定部
３１  基台
３２、３３、４３２、４３３  支持部材
４１、４２  角度変化部
４１ａ、４２ａ  ネジ孔部材
１００、４００  映像立体的認識装置
２００  テレビ
２１０  画面
３００  観察者
３１０  右眼右端線
３２０  左眼左端線
４５０  映像出力部
４６０  ケース
４６１  スクリーン部
【図１】
2010008589.tif 000003
【図２】
2010008589.tif 000004
【図３】
2010008589.tif 000005
【図４】
2010008589.tif 000006
【図５】
2010008589.tif 000007
【図６】
2010008589.tif 000008